(57)【要約】      （修正有）【課題】地球の温暖化を改善する人工路面の製造方法を提供する。【解決手段】人工的な透水路面４０を敷設し、透水路面４０の下層に高速水誘導層３０を設け、高速水誘導層３０は、砕石或いは砂層からなり、高速水誘導層３０の下層に仲介層２０を設けた後、更に、固めた生態グラデーション層１０を設ける。以上の構造により、下層の生態グラデーション層１０は、支持の作用を備える以外に、層内に空心中空体を設けることにより（ニーズに応じて、防災貯水中空体、或いは、土質改良中空体、或いは、微生物培養中空体、或いは、保水中空体を設ける）、地面の雨水が地下に素早く滲みこんだ後、水をたくさん貯蔵するとともに、微生物の繁殖を助け、大気の温度が高い時には、地底の湿気が透水路面４０の管体から蒸発し、環境の温暖化を改善する。【選択図】図１
2012067589.tif 000002
【特許請求の範囲】
【請求項１】
生態グラデーション層と透水路面層からなる地球の温暖化を改善する人工路面の製造方法であって、
まず地表を平らにした後、一般的な道路工事のグラデーション材料や現地の土砂を用いた生態グラデーション層内に透孔を備えた中空体を混ぜ合わせ、その生態グラデーション層を敷設した後、適度な圧力をかけて固め、
生態グラデーション層の上方に、透水路面層を設け、
以上の構造により、地面の上の雨水は、各種の人工で設けられた地質層に浸透し、最終的に、地底土壌層下の地下水源層内に滲みこみ、雨水を、計画的に、地層の深いところの地下水源層内に流し込み地下水源を補充することができ、生態グラデーション層は、土壌の微生物や土壌内の原生動物に優れた生存環境を提供することができることを特徴とする、地球の温暖化を改善する人工路面の製造方法。
【請求項２】
生態グラデーション層の上方と透水路面層下方の間には、仲介層が敷設されることを特徴とする、請求項１に記載の地球の温暖化を改善する人工路面の製造方法。
【請求項３】
生態グラデーション層の上方と透水路面層の下方の間には、高速水誘導層が敷設されることを特徴とする、請求項１に記載の地球の温暖化を改善する人工路面の製造方法。
【請求項４】
仲介層の上方には高速水誘導層が設けられることを特徴とする、請求項２に記載の地球の温暖化を改善する人工路面の製造方法。
【請求項５】
前記中空体は防災貯水中空体であり、その中空体の殻は中空状であるとともに、その中空体には透孔が設けられ、中空体はグラデーション層内に混ぜられることを特徴とする、請求項１に記載の地球の温暖化を改善する人工路面の製造方法。
【請求項６】
前記中空体は土質改良中空体であり、中空体内には炭素物質が詰められるか、土質改良剤が詰められることを特徴とする、請求項１に記載の地球の温暖化を改善する人工路面の製造方法。
【請求項７】
前記中空体は微生物培養中空体であり、中空体内には微生物菌種が詰められることを特徴とする、請求項１に記載の地球の温暖化を改善する人工路面の製造方法。
【請求項８】
前記中空体は保水中空体であり、中空体内には、スポンジ、或いは、水分を吸収でき且つ微生物に分解されにくい物質などの含水物質が詰められることを特徴とする、請求項１に記載の地球の温暖化を改善する人工路面の製造方法。
【請求項９】
前記中空体は、二等分にされた半分の殻を相互に合わせてなるか、或いは、ブロー成形或いは注入成形で一体成型されることを特徴とする、請求項１に記載の地球の温暖化を改善する人工路面の製造方法。
【請求項１０】
仲介層は、不織布、或いは、ネット、或いは、砂層であることを特徴とする、請求項２に記載の地球の温暖化を改善する人工路面の製造方法。
【請求項１１】
前記高速水誘導層は、砕石或いは砂からなるか、或いは、両者を混ぜ合わせてなるか、或いは、砂土のグラデーション材料からなることを特徴とする、請求項３、または、請求項４に記載の地球の温暖化を改善する人工路面の製造方法。
【請求項１２】
前記透水路面層は、排水を行うための複数の管体と、上連結柱と、下連結柱と、空気貯蔵機能を備えた凝縮管とからなり、前記凝縮管は、管体に外管を結合させてなり、外管の頂端には孔が設けられ、外管の内層には挟み層が設けられ、管体と外管の両者が結合されると、排水を行えるとともに且つ水の凝縮を行えることができる管体が形成されることを特徴とする、請求項１に記載の地球の温暖化を改善する人工路面の製造方法。
【請求項１３】
前記透水路面層は、排水に用いられる複数の管体と、上連結柱と、下連結柱と、貯水装置とからなり、
貯水装置は管体の末端に連結され、貯水装置は上蓋と下容器とからなり、上蓋の頂端には孔が設けられ、上蓋の外周縁には凸縁が設けられ、上蓋の直径は下容器の直径より大きく、下容器には、中央管と挟み層が設けられ、中央管の頂端の高さは他の箇所より高く、下容器の頂縁には凸点が設けられ、上蓋と下容器を組み合わせると水が進入する隙間が形成され、中央管の内管壁には凸リブが設けられ、
管体と貯水装置の両者が結合されると、排水が行えるとともに貯水を行うことが可能な管体が形成されることを特徴とする、請求項１に記載の地球の温暖化を改善する人工路面の製造方法。
【請求項１４】
生態グラデーション層と透水路面層からなる地球の温暖化を改善する人工路面の製造方法であって、
まず地表を平らにした後、一般的な道路工事のグラデーション材料や現地の土砂を用いた生態グラデーション層内に透孔を備えた中空体を混ぜ合わせ、その生態グラデーション層を敷設した後、適度な圧力をかけて固め、
生態グラデーション層の上方に、透水路面層を設け、
前記路面層に、ドリルで複数の排水孔を開け、
さらに、前述の排水孔上に、排水と空気貯蔵機能を備える凝縮管を設け、それにより、路面層は排水性路面層になり、
以上の構造により、地面の上の雨水は、各種の人工で設けられた地質層に浸透し、最終的に、地底土壌層下の地下水源層内に滲みこみ、雨水を、計画的に、地層の深いところの地下水源層内に流し込み地下水源を補充することができ、生態グラデーション層は、土壌の微生物や土壌内の原生動物に優れた生存環境を提供することができることを特徴とする、地球の温暖化を改善する人工路面の製造方法。
【請求項１５】
前記路面層は、生コンクリートを凝固させてなる硬い路面であることを特徴とする、請求項１４に記載の地球の温暖化を改善する人工路面の製造方法。
【請求項１６】
前記路面層は、アスファルト路面であることを特徴とする、請求項１４に記載の地球の温暖化を改善する人工路面の製造方法。
【請求項１７】
前記凝縮管は、排水と貯水機能を備える貯水管で代替されることを特徴とする、請求項１４に記載の地球の温暖化を改善する人工路面の製造方法。
【請求項１８】
前記排水孔の上には、排水と空気貯蔵機能を備えた凝縮管が設けられる以外に、排水と貯水機能を備える貯水管も同時に設けられることを特徴とする、請求項１４に記載の地球の温暖化を改善する人工路面の製造方法。
【請求項１９】
排水と空気貯蔵機能を備える前記凝縮管は、内管と外管とからなり、前記内管は中空管であり、前記内管の頂端には外径が大きな外径拡大縁が設けられ、外管の頂端には孔が設けられ、外管の内層は内斜面を形成し、外管の外表層には凸出構造が設けられていることを特徴とする、請求項１４に記載の地球の温暖化を改善する人工路面の製造方法。
【請求項２０】
前記排水と貯水機能を備える貯水管は、排水管を貯水装置に結合してなり、貯水装置は、上蓋と下容器とからなり、上蓋の頂端には孔が設けられ、上蓋の外周縁には凸縁が設けられ、上蓋の直径は下容器の直径より大きく、下容器には中央管と挟み層が設けられ、上蓋と下容器を組み合わせると、水が進入する隙間が形成されることを特徴とする、請求項１７に記載の地球の温暖化を改善する人工路面の製造方法。
【請求項２１】
前記排水と貯水機能を備える貯水管は、排水管を下容器に直接結合させてなり、前記排水管の頂端の外周縁には凸縁が設けられ、凸縁箇所の直径は下容器の直径より大きく、下容器には、中央管と挟み層が設けられ、下容器の頂縁と排水管の間には、水が進入する隙間が形成されることを特徴とする、請求項１７に記載の地球の温暖化を改善する人工路面の製造方法。
【請求項２２】
生態グラデーション層の上方と透水路面層の下方の間に、仲介層が設けられることを特徴とする、請求項１４に記載の地球の温暖化を改善する人工路面の製造方法。
【請求項２３】
生態グラデーション層の上方と透水路面層の下方の間に、高速水誘導層が設けられることを特徴とする、請求項１４に記載の地球の温暖化を改善する人工路面の製造方法。
【請求項２４】
仲介層の上方には高速水誘導層が設けられることを特徴とする、請求項２２に記載の地球の温暖化を改善する人工路面の製造方法。
【発明の詳細な説明】
【技術分野】
【０００１】
本発明は地球の温暖化を改善する人工路面の製造方法に関し、特に、地面の下の生態グラデーション層と地面の上の人工透水路面を構築することで、降った雨水を有効且つ素早く計画的に地下グラデーション層内に流れ込ませ、貯水を行い、地表面の水が溜まる量を減少させる効果を得ることができ、また、生態グラデーション層の土壌内に、微生物菌種や土壌内の原生動物が繁殖するのにより優れた環境が形成され、生物が多様化する効果があり、ひいては、土壌を湿った状態に保つことで、環境の温度と湿度を調整する作用があり、土質を改善する効果がある、地球の温暖化を改善する人工路面の製造方法に関する。
【背景技術】
【０００２】
一般的なコンクリート路面の構築方法の多くは、まず十分な量の生コンクリートを流し込み、さらに、生コンクリートの表面を平らにする。その後、路面を構成するレンガを敷くと人工コンクリート路面の施工が完成する。
【０００３】
この従来の地表路面は、コンクリート、或いは、コンクリートとレンガを結合させて構成されるが、コンクリートは一般的に透水性を備えておらず、たとえ透水性コンクリートだったとしても、その隙間は極めて詰まりやすく、また、コンクリートレンガは酸化カルシウムが生じ、自然に隙間が詰まってしまい、しかも掃除することができない。そのため、透水効率は大雨が降る速度に追いつかず、そのため、地面に水が溜まった時、素早く地表の雨水を地底の土壌層内に流し込むことができず、その地域は、大雨で水が溜まって水害を引き起こしやすくなる。
【０００４】
一般的な道路や都会の地域では、地面の路面を建設する時、施工が便利であるため地表面を透水性のない路面にすることが多い。それにより、地底の土壌は地面の上の空気と接触することができず、また、雨が降った時に地下水を補充することができないという欠点がある。このことは環境保護に対して疑いもなく大きな害を及ぼす。従って、この透水作用構造をもたないコンクリート路面は理想的とはいえない。また、都市の中では、一旦雨が降ると、その地表は水を滲みこませる能力を備えていないため、大量の雨水が全部排水溝に流れ込み、各排水溝を経由して下水道管へ流れ、さらに海へと流れ出るため、水資源の無駄となる。或いは、低い窪地の地域へ流れて水害を引き起こし、人々の生命や、財産の損害を引き起こす。
【０００５】
古くから知られていることだが、土壌は水分を吸着する機能があり、また、大気層に接触するため、大気環境が乾燥或いは非常に熱い状態にある時、湿り気が十分にある土壌は水蒸気を発し、大気環境と熱交換を行う作用がある。また、それ自体に湿度を調整する機能があるため、ヒートアイランド現象が生じるのを避けることができる。
【０００６】
従来の技術で知られているように、地面の下に素早く水が滲みこむ機能を備えていない場合、地面の上で雨水を排出する機能は大幅に下がる。従って、水が滲みこむ作用と保水作用の優れたグラデーション層を構築することは極めて重要である。また、土質の生態環境を改善するために、微生物と土壌の中の原生動物が生存しやすい土壌内の環境を作り出すことが必要である。土壌微生物は、主に、細菌（真性細菌と古細菌）、真菌（糸状真菌と酵母菌）、藻類である。また、土壌原生動物は、変形虫類、繊毛虫類、鞭毛虫類等の数が非常に多く、有機質の分解への貢献が大きい。また、土壌内の昆虫、例えば、蟻、ムカデ、ダニ、節足動物等は、土壌を動かしたり、生物の残骸を消化し有機質を提供したりする。ミミズは、土壌団粒を形成するのに役立っており、通気や排水をよくする。線虫は、有機物やその他の小さい生物を消化する。土壌内には、ネズミ類等の脊椎動物も存在し、それらは、土壌を軟らかくするとともに、その排泄物によって土壌に栄養を与えており、地下の生物連鎖の一員となっている。
【０００７】
土壌の微生物は、土壌を高い品質に保つ上で重要な役割を演じている。土壌生物の生存と、土壌環境の変化及び優劣が密接な関係があることは既に知られている。
【０００８】
研究によると土壌の重要性は以下の通りである。
１、有機物質を分解する。土壌は、有機物を分解して栄養要素にするミネラル化作用を行う。
２、空気中の窒素ガス（Ｎ２）を固定して、ＮＨ３に変え、その他の生物が利用可能な窒素源にすることができる。
３、硝化作用を行い、ＮＨ４＋を亜硝酸性窒素（ＮＯ２−）、そして硝酸性窒素（ＮＯ３−）に変え、植物が吸収できるようにする。
４、脱窒素作用を行い、ＮＯ３−をＮ２Ｏ及びＮ２に還元する。
５、結合された、或いは、固定されたリン、硫黄、鉄、マンガン等の化合物の溶解を促進する。
６、その他の土壌の微生物と相互に影響する。土壌の微生物が環境で生存するのに密接な関係がある。
【０００９】
以上の土壌の効果により、優れた環境を作り出されるため、土壌の微生物は大量に繁殖し、地球環境の土質の改善を行うことができる。それと同時に、人工透水路面底下に、保水グラデーション層を構築することで、透水性路面の上表面に直接接触させることができるため、土壌層と大気環境を相互に接触させることができ、その湿度及び温度の熱交換が呼吸のように行われ、温度調整と湿度調整を行うことができる。全体として、素早い水誘導作用により地表面に水が溜まるのを防ぐことができ、実際の効果を十分に発揮することができる。
【００１０】
以上のことに鑑み、本発明者は、積極的に研究開発を行って改良を重ね、地球の温暖化を改善する人工路面の製造方法を設計した。本発明では、環境を保護する透水作用を備えるコンクリート路面を簡単に構築することができ、その地底のグラデーション層を生態グラデーション層にすることで、活性化土壌の有機質を改造することができるとともに、地球の温暖化を改善することができる。
【発明の概要】
【発明が解決しようとする課題】
【００１１】
本発明は、高い透水性を備え、地表面の雨水を素早く地底の土壌にしみこませることができ、地表面に水が溜まって水害になる確率を減らし、十分な貯水機能と雨水資源を回収する効果を達成することが可能な、地球の温暖化を改善する人工路面の製造方法を提供することを目的とする。
【００１２】
また、本発明は、地面の下の土壌のグラデーション層を生態グラデーション層に変化させることで、外界の気温が非常に高温度の時、地質には多くの水分が含まれているため、貫通した管体により、水分が水蒸気に変化して外へ排出され、環境内の全体の温度と湿度を調整することができ、それにより、ヒートアイランド現象が生じるのを防ぐこと、或いは、ヒートアイランド現象を減らすことができる、地球の温暖化を改善する人工路面の製造方法を提供することを目的とする。
【００１３】
また、本発明は、土壌の生態グラデーション層は、地表の透水性路面により、水分を吸収しやすく、また、地表の下に排水兼貯水管体と排水兼凝縮管体を設けることで、その複数の管体により、地表面上の雨水を地面の下のグラデーション層に流れ込ませることができ、下に滲みこんだ水は地底の地下水層に入り込み、それにより、人工透水路面の下には、土壌の微生物と土壌の原生動物にとって優れた環境が形成され、グラデーション層は生態グラデーション層であるため、土壌と地面の大気層の間に地球の温暖化を改善する作用が形成される、地球の温暖化を改善する人工路面の製造方法を提供することを目的とする。
【課題を解決するための手段】
【００１４】
上述の目的を達成するために、本発明は、人工的な透水路面を設け、透水路面の下層には、高速水誘導層を選択的に設け、高速水誘導層は砕石、或いは、砂層からなり、或いは、高速水誘導層の下層には、選択的に仲介層を設けた後、更に、固めた生態グラデーション層を設ける。以上の構造により、下層の生態グラデーション層は、支持作用を備える以外に、生態グラデーション層内には空心中空体を設け（ニーズに応じて、防災貯水中空体、或いは、土質改良中空体、或いは、微生物培養中空体、或いは、保水中空体を設け）、それにより、地面の雨水が地下に素早く滲みこんだ後、さらに、生態グラデーション層は、水をたくさん貯蔵するとともに、微生物の繁殖を助け、大気の温度が高い時には、地底の湿気が透水路面の管体から蒸発し、環境の温暖化を改善する最も有効な方法となる。前記透水路面には、フレームワークにコンクリートを注入して排水機能をもつ複数の管体にする以外に、コンクリートで不透水路面を形成させ、さらにドリルで硬い路面に複数の排水孔を開け、さらに、排水と空気貯蔵機能をもつ凝縮管や排水と貯水機能を備える貯水管を、孔を開けた排水孔内に嵌合させる。以上により、人工路面は環境温暖化を改善する効果を備えることができる。
【図面の簡単な説明】
【００１５】
【図１】本発明で構築した人工地層の構造を示した概略図である。
【図２】本発明の透水路面の排水フレームワークの構成を示した分解図である。
【図３】本発明の透水路面の排水フレームワークを組みたてた後の外観を示した説明図である。
【図４】本発明の空気貯蔵機能を備えた排水管の構造を示した分解図である。
【図５】本発明の貯水装置の構造を示した分解図である。
【図６】本発明のグラデーション層内に中空体を設けた状態を示した説明図である。
【図７】本発明のグラデーション層内に、異なる機能をもつ中空体を設ける構造を示した説明図である。
【図８】本発明の透水路面内の排水兼凝縮管の作用を示した説明図である。
【図９】本発明の透水路面内の排水兼貯水管の作用を示した説明図である。
【図１０】コンクリート路面に排水孔を開けた本発明の別の実施例を示した概略図である。
【図１１】本発明の別の実施例の排水と空気貯蔵作用を備えた凝縮管構造を示した分解図である。
【図１２】本発明の図１１の管体を組み合わせた後の外観を示した概略図である。
【図１３】本発明の図１１の管体をコンクリート路面に嵌合させた後の状態を示した断面図である。
【図１４】本発明の別の実施例の排水と貯水作用を備えた貯水管構造を示した分解図である。
【図１５】本発明の図１４の管体を組み合わせた後の外観を示した概略図である。
【図１６】本発明の図１４の実施例の管体をコンクリート路面に嵌合させた後の状態を示した断面図である。
【図１７】本発明の図１４の実施例の管体貯水管の別の構造を示した概略図である。
【図１８】本発明の生態グラデーション層の別の実施例を示した概略図である。
【発明を実施するための形態】
【００１６】
図１に示すように、本発明による地球の温暖化を改善する人工路面の製造方法は、まず地表を平らにした後、生態グラデーション層１０を敷設する。その生態グラデーション層１０には、現地の土砂や、一般的な道路工事のグラデーション材料（砂石、或いは、粘土、或いは、砕石、或いは、混合透水コンクリートなどを含む）が用いられ、さらに、特殊作用をもつ中空体１１が設けられ、各要素を混ぜ合わせた後、底層に敷設し、適度な圧力をかけて固めた後、さらに、その上に仲介層２０を選択的に設けることができる。なお、仲介層２０は、不織布であるか、ネット或いは砂層にすることができる。さらに、仲介層２０には高速水誘導層３０が設けられ、高速水誘導層は、砕石、或いは、砂、或いは、両者を混ぜ合わせてなる。最後に、高速水誘導層３０の上方には透水路面層４０が設けられる。以上の構造により、地面の上の雨水は、各種の人工で設けられた地質層に浸透し、最終的に、地底土壌層５０下の地下水源層６０内に滲みこむ。従って、雨水を、計画的に、地層の深いところの地下水源層６０内に流し込み地下水源を補充することができる。また、グラデーション層を生態グラデーション層１０に変えることもできる。さらに、透水路面層４０を併せることにより、複数の機能を提供して、土壌の微生物や土壌内の原生動物に優れた生存環境を提供することができる。
【００１７】
なお、仲介層２０と高速水誘導層３０は、単独で設けることも、二つ同時に設けることもできる。また、生態グラデーション層１０の上方には、透水路面層４０を直接設けることもでき、仲介層２０と高速水誘導層３０は、施工する現地の実際の排水状況に応じて、設置するかどうかが決められる。いずれも、同様に、効果的な水誘導作用を達成するとともに、地球温暖化を防ぐ効果を発揮することができる。
【００１８】
図２、図３に示すように、透水路面層４０（図１に図示）は、排水に用いられる複数の管体４１と、上連結柱４２と、下連結柱４３、密封蓋プレート４４と、空気貯蔵機能を備えた凝縮管４５と、貯水装置４６とを相互に組み合わせてなる。凝縮管４５は空気貯蔵室機能を備え、地面に水が溜まって水害になったときに、土壌の地底の微生物や原生動物に呼吸する空間をあたえ生存させることができる。管体４１の頂端には小直径段部４１１が設けられ、管体４１の底端には環状係止部４１２と斜面係止ほぞ４１３とが設けられる（図４に図示）。管体４１の上端の小直径段部４１１は、上連結柱４２の短管４２１に嵌合され、管体４１の下端は、下連結柱４３の環状体４３１に嵌合され、環状体４３１は環状係止部４１２と斜面係止ほぞ４１３の間に挿入・固定される。管体４１の中央は空心状であり、生コンクリートを注入する時、密封蓋プレート４４が滑って動いて、管体が詰まるのを防ぐために、密封蓋プレート４４の底面には、複数の密封蓋４４１が設けられ、密封蓋４４１を管体４１上端の開口箇所に被せることで、施工時に生コンクリートの注入で詰まるのを防ぐことができ（図３に図示）、成型させた後にさらに撤去し、コンクリート透水路面層を形成させることができる。
【００１９】
図４は、空気貯蔵機能を備えた凝縮管４５の構造を示している。本実施例においては、管体４１の上に外管４１４を連結させる。外管４１４を製造する際に、その頂端には孔４１４１が設けられ、外管４１４の内層には挟み層４１４２が設けられ、管体４１と外管４１４の両者を結合させることにより、排水、通気を行えるとともに且つ水の凝縮も行える管体を形成させることができる。挟み層４１４２は、別の実施例では、外管と管体を連結させた外管の内壁と管体の外壁からなる。
【００２０】
図５に示すように、貯水装置４６は管体４１の末端に連結され、貯水装置４６は、上蓋４６１と、下容器４６２とによって構成する。上蓋４６１の頂端には孔４６１１が設けられ、上蓋の外周縁には凸縁４６１２が設けられ、上蓋４６１の直径は、下容器４６２の直径より大きく、生コンクリートを注入する時、生コンクリートや、高速水誘導層の細かい砂が下容器内に入り込むのを防ぐことができる。下容器４６２には、中央管４６２１と挟み層４６２２が設けられ、下容器の頂縁には凸点４６２３が設けられ、中央管４６２１の内管壁には凸リブ４６２４が設けられ、それにより、下容器４６２を管体４１末端に嵌合する時に便利であり、固定する効果がある。管体４１と貯水装置４６の両者を結合すると、排水と通気を行えるとともに且つ貯水が可能な管体を形成させることができる。また、上蓋４６１と下容器４６２を相互に合わせた時、凸点４６２３により空間に水が進入する隙間が形成される。また、別の実施例では、中央管４６２１の頂端の高さを、下容器４６２の最も外側の壁面の高さより高くすることで、上蓋４６１と下容器４６２を相互に合わせた時に、水が進入する隙間を形成させることができる。
【００２１】
図６と図７に示すように、前述した生態グラデーション層１０には、中空体１１が設けられ、現地の土砂（砂石、或いは、粘土、或いは、砕石、或いは、混合透水コンクリートなどを含む）を用いることもできるし、環境に無害で路面になるその他のグラデーション材料（例えば、セラムサイト）を混ぜて使用することもできる。また、特殊作用をもつ中空体１１は円形状にするのが好ましい。なぜなら、円形は、いずれの面も、最大の圧縮応力を受けることができ、しかも、グラデーション層に空間を提供することができるためである。ただし、中空体１１はその他の各種の幾何形態にすることもできる。中空体１１は、二等分にされた半分の殻１１１にすること、或いは、ブロー成形、注入成形で加工して一体成型の中空体にすることができる。中空体１１の材料は、プラスチックからなるのが好ましいが、その他の従来の材料にすることもできる。また、中空体の殼は厚い壁を備え、殻１１１には複数の透孔１１２が設けられる。本発明に使用される中空体１１は、需要に応じて、様々な機能をもった中空体にすることができる。それは、防災貯水中空体、或いは、土質改良中空体、或いは、微生物培養中空体、或いは、保水中空体、或いは、現地の生態が必要な機能をもつ中空体である。
【００２２】
図の実施例の防災貯水中空体は、二つの殻１１１を使用する。その殻は、相互に合わせると中空状を呈するとともに、透孔１１２を備える。中空体をグラデーション層内に混ぜと、地面に大量の雨が降り注いだ時、透水路面層４０によって雨水が下へ流れ、グラデーション層１０が瞬間的に水で一杯になった時、水分が殻の透孔１１２から中空体内の空間内に入り込むことで、地域の水害が発生する確率を下げることができる。そして、水が滲みこんで一定時間が経過し、地下水源層に滲みこんだ後、防災貯水中空体内に短期的に貯蔵された水は、ゆっくりと内部に含まれた水を放出する。以上により、地面は短時間で効果的に素早く水を排出する機能を得ることができる。
【００２３】
土質改良中空体は、二つの殻１１１を使用する。その殻を相互に合わせる時に、中空体内には炭素物質１１３（例えば、活性炭、或いは、備長炭）が詰め込まれるか、或いは、現地の土質の必要性に応じて土質改良剤が詰め込まれる。土質改良中空体をグラデーション層内に混ぜると、水が滲みこんでいく過程の中で、炭素物質１１３によって、土壌内や水中内の酸化物質や有害物質が吸収されるとともに活性化され、土質を改善することができる。
【００２４】
微生物培養中空体は二つの殻１１１を使用する。その殻を相互に合わせる時に、中空体内には微生物菌種１１４が詰め込まれる。それにより、大量の微生物に、極めて優れた生息環境を提供することができる。微生物培養中空体をグラデーション層材料内に混ぜると、微生物は優れた繁殖環境空間で効果的に培養され、土壌微生物が有機物質を分解し、硝化作用と脱窒素作用が行われることにより、土質の生態環境を改善することができるなどの利点がある。
【００２５】
保水中空体は二つの殻１１１を使用する。その殻を相互に合わせる時に、中空体内には含水物質１１５（例えば、スポンジ、或いは、水分を吸収でき且つ微生物に分解されにくい物質）が詰められる。保水中空体をグラデーション層内に混ぜると、水が滲みこんでいく過程の中で、含水物質１１５が水分を吸収するため水分が流失しにくく、微生物に水分の養分を与えることができる。それにより、干魃地域の土壌の保水状態や土質に含まれる水の量を改善することができる。さらに、地面が非常に熱くなり高温度の時、地質には多くの水分が含まれているため、それが水蒸気に変化して外へ排出され、外部環境との熱交換が行われる。それにより、ヒートアイランド現象が生じるのを防ぐこと、或いは、ヒートアイランド現象を減らすことができる。
【００２６】
図８に示すように、透水路面層４０の透水路面組織フレームワーク内には、空気貯蔵機能を備えた複数の凝縮管４５が設けられ、上連結柱４２、下連結柱４３は凝縮管の上下端に固定され、凝縮管４５の内部には挟み層４１４２が設けられる。寒冷気候の地域では、環境温度が極めて低温の時、地底高速水誘導層３０の土壌温度は地面外界の環境温度より高くなるため、挟み層４１４２内の管壁に凝縮水４１４３が形成される。それにより、大気中から水分が取り込まれ、土壌内の水分が自然に補充される。雨が降ってきた時、雨水は、透水路面の表層の水誘導溝４０１を経由して短管４２１に流れ込み、さらに下方の管体４１へ間接的に流れ込み、さらに高速水誘導層３０内に流れ込む。従って、水資源を有効に集めることができ、用水路に流れ込んで海へ流れ無駄になることを防ぐことができる。また、大雨で水害が発生したような場合は、空気貯蔵機能を備えた凝縮管４５の挟み層４１４２は上端が密封されているため、密閉された空気貯蔵空間を形成される。それにより、土壌内の微生物、或いは、原生動物にとって、呼吸するための空気を備えた避難室となり、全体が雨水につかった地域の地底の土壌内でも、そこから生存に必要な空気を得ることができるため、水で埋もれて死にいたるということを防ぐことができ、また、土壌内で生き残った微生物や原生動物は、短期間で自然に繁殖して元通りになり、土壌の有機物質に対して役に立つ。
【００２７】
図３、図５、図９に示すように、透水路面層４０の透水路面組織フレームワーク内には、複数の貯水機能を備えた貯水装置４６が設けられる。上連結柱４２、下連結柱４３の間には、排水に用いられる管体４１が固定される。また、管体４１の下端には貯水装置４６が設けられ（図３に図示）、貯水装置４６の上蓋４６１と下容器４６２には、中央管４６２１の頂端の高さが他の部分より高くなっている、或いは、凸点４６２３が設けられている（図５、図９に図示）ため、水が進入する隙間が形成される。それにより、高速水誘導層３０の水が一杯になった時に、下に滲みこんだ雨水が、水が進入する隙間から挟み層４６２２内へと溢れ貯蔵される。それにより、貯水された水分は、土壌内の微生物や原生動物が土壌の旱魃した時に生存に必要な水分となる。また、旱魃地区の地下水の温度と湿度を調整することができ、草木に水分が供給されることにより枯れてしまうことを減らし、土壌の砂漠化を防ぐことができる。
【００２８】
図１０、図１１、図１４は、本発明の別の実施例を示している。図に示すように、本実施例の特徴は、前述した透水路面層にある。まず地表を平らにし、生態グラデーション層１０を敷設した後、生態グラデーション層１０の上方に路面層４０ａを設けるが、路面層４０ａには鉄筋４０２が設けられる。鉄筋４０２は、縦横へと将棋盤式にくくるか、その他の補強部材を加えた後、生コンクリートを注入することで、凝固して硬いコンクリート路面になる。路面層４０ａは、コンクリートと補強部材を結合させなかった場合、アスファルト路面にすることができる。また、ドリル４７で硬い路面に複数の排水孔４０３が開けられる。また、排水、空気貯蔵機能を備える凝縮管４５ａ（図１１に図示）、或いは、排水と貯水機能を備える貯水管４６ａ（図１４に図示）は単一の管体形態であり、さらに、施工する地域の環境特性に応じて、一つ、或いは、二つを選択することができ、少なくとも一種類の管体を予め開けられた排水孔４０３内に嵌め込むと、同様に、環境の温暖化の改善効果をもつ人工路面が形成される。
【００２９】
図１１、図１２、図１３を参照する。図１０に採用した排水、空気貯蔵機能を備える単一形態の凝縮管４５ａは、内管４１ａと外管４１４ａとからなる。内管４１ａは中空管であり、内管４１ａの頂端には、外径が大きな外径拡大縁４１５が設けられ、外管４１４ａを製造するときに、その頂端に孔４１４１が設けられる。外管４１４ａの内層は内斜面４１４４を形成し、外管４１４ａの外表層には凸出構造４１４５が設けられる。それにより、凝縮管４５ａを、路面層４０ａに予め開けられた排水孔４０３内に嵌合させると（図１３に図示）、路面層４０ａが透水路面層となる。それにより、透水可能な路面層４０ａが水に埋もれた時、下方の生態グラデーション層１０が水で一杯になった後、雨水が挟み層４１４２内に流れ込む（図１３に図示）が、挟み層の上方に一定の空気が確保されるため、地面に水が溜まって水害になった時、土壤の地底の微生物と原生動物に呼吸ができる空間を提供し、生存させることができる。それと同時に、その外管４１４ａと内管４１ａの間の挟み層の管壁は、凝縮水の製造の空間を形成する。
【００３０】
図１４、図１５、図１６を参照する。図１０内で採用した単一形態の排水と貯水機能を備える貯水管４６ａは、排水管４１ｂに貯水装置４６を結合させてなる。貯水装置４６は、上蓋４６１と下容器４６２とによって構成する。上蓋４６１の頂端には孔４６１１が設けられ、上蓋の外周縁には凸縁４６１２が設けられ、上蓋４６１の直径は下容器４６２の直径より大きく、下容器４６２には、中央管４６２１と挟み層４６２２が設けられ、下容器の頂縁には、好ましくは凸点４６２３が設けられ、中央管４６２１の内管壁には凸リブ４６２４が設けられ、それにより、下容器４６２を管体４１ｂ末端に嵌合する時に便利であり、凸リブ４６２４により固定する効果がある。排水管４１ｂと貯水装置４６の両者を結合すると、排水ができるとともに貯水可能な貯水管４６ａが形成される。図中の実施例の下容器４６２の頂縁には凸点４６２３が設けられて、水が進入する隙間が形成される。また、別の実施例では、中央管４６２１の頂端Ａの高さを、下容器４６２の最も外側の壁面の頂端Ｂの高さより高くする（図１６に図示）。それにより、上蓋４６１と下容器４６２を相互に合わせた時、水が進入する隙間が形成される。
【００３１】
図１６の実施例の貯水管４６ａを、路面層４０ａに予め開けられた排水孔４０３内に嵌合させると（図１６に図示）、路面層４０ａに透水路面層を形成させることができる。それにより、透水可能な路面層４０ａに雨が降って下方の生態グラデーション層１０に排水された後、下方の生態グラデーション層１０は水が一杯になり、その後、下に滲みこんだ雨水は、水が進入する隙間から挟み層４６２２内に溢れて貯蔵される。それにより、貯水された水分は、土壌が旱魃してしまったときに、土壌内の微生物、或いは、原生動物に生存に必要な水分を提供する。また、旱魃地区の地下水の温度と湿度を調整することができ、草木に水分が供給されることにより枯れてしまうことを減らし、土壌の砂漠化を防ぐことができる。
【００３２】
生態グラデーション層１０と透水性路面層４０ａの間には、その土地の土質の需要に応じて、仲介層、或いは、高速水誘導層を設けることもできるし、また、両者を同時に設けることもできる。
【００３３】
図１７を参照する。本図の実施例に示す貯水管の別の構造において、単一形態の排水と貯水機能を備える貯水管４６ｂは、排水管４１ｃに直接、下容器４６２を結合させてなる。排水管４１ｃの頂端の外周縁には凸縁４１６が設けられ、凸縁４１６の直径は下容器４６２の直径より大きく、下容器４６２には、中央管４６２１と挟み層４６２２が設けられ、下容器の頂縁は、好ましくは凸点４６２３が設けられ、中央管４６２１の内管壁には凸リブ４６２４が設けられ、下容器４６２を排水管４１ｃの末端に被せた時、凸リブ４６２４によって固定効果が生じ、排水が可能であるとともに貯水も可能な貯水管４６ｂが形成される。
【００３４】
また、図の実施例の下容器４６２の頂縁には凸点４６２３が設けられて、水が進入する隙間を形成し、別の実施例では、中央管４６２１の頂端の高さＡを、下容器４６２の最も外側の壁面の頂端Ｂの高さより高くすることで、上蓋４６１と下容器４６２を合わせた時に、水が進入する隙間が形成される。
【００３５】
図１８に示すように、本実施例において、生態グラデーション層１０は、現地の土砂や一般的な道路工事のグラデーション材料（砂石、或いは、粘土、或いは、砕石、或いは、混合透水コンクリートなどを含む）を用いることもできるし、環境に無害で路面になるその他のグラデーション材料を混ぜて使用することもできる。生態グラデーション層１０には、特殊作用をもつ中空体１１が設けられ、また、その中空体１１は網袋に複数個集められて、袋状の中空体ユニット１２を形成する。なお、袋状の中空体ユニット１２は、直接グラデーション層に加えられるか、或いは、中空体ユニット１２は、現地の土砂に混ぜられた後にグラデーション層内に堆積される。それにより、前述したものと同様の効果を得ることができる。
【００３６】
以上で述べた説明は本発明の実施例にすぎず、本発明の特許請求の範囲の範囲を限定するものではない。従って、本発明の明細書及び図の内容を若干変更したものや同じ効果を生じる構造の変化などは、いずれも本発明の特許請求の範囲の範囲内であるものとする。
【符号の説明】
【００３７】
１０      生態グラデーション層      
１１      中空体
１１１    殻          
１１２    透孔
１１３    炭素物質        
１１４    微生物菌種
１１５    含水物質      
１２      中空体ユニット
２０      仲介層
３０      高速水誘導層
４０、４０ａ      透水路面層
４０１    水誘導溝        
４０２    鉄筋
４０３    排水孔        
４１      管体
４１ａ    内管            
４１ｂ、４１ｃ      排水管
４１１      小直径段部      
４１２      環状係止部
４１３      斜面係止ほぞ      
４１４、４１４ａ      外管
４１５      外径拡大縁        
４１６      凸縁
４１４１    孔          
４１４２    挟み層
４１４３    凝縮水      
４１４４    内斜面
４１４５    凸出構造
４２        上連結柱        
４２１      短管
４３        下連結柱        
４３１      環状体
４４        密封蓋プレート        
４４１      密封蓋
４５、４５ａ      凝縮管
４６        貯水装置        
４６ａ、４６ｂ      貯水管
４６１      上蓋          
４６１１    孔
４６１２    凸縁
４６２      下容器          
４６２１    中央管
４６２２    挟み層        
４６２３    凸点
４６２４    凸リブ
４７        ドリル
５０        地底土壌層
６０        地下水源層
【図１】
2012067589.tif 000003
【図２】
2012067589.tif 000004
【図３】
2012067589.tif 000005
【図４】
2012067589.tif 000006
【図５】
2012067589.tif 000007
【図６】
2012067589.tif 000008
【図７】
2012067589.tif 000009
【図８】
2012067589.tif 000010
【図９】
2012067589.tif 000011
【図１０】
2012067589.tif 000012
【図１１】
2012067589.tif 000013
【図１２】
2012067589.tif 000014
【図１３】
2012067589.tif 000015
【図１４】
2012067589.tif 000016
【図１５】
2012067589.tif 000017
【図１６】
2012067589.tif 000018
【図１７】
2012067589.tif 000019
【図１８】
2012067589.tif 000020
【外国語明細書】
TITLE:  METHOD FOR MANUFACTURING ARTIFICIAL
PAVING THAT HELP IMPROVING GLOBAL WARMING
(a) Technical
Field of the Invention
The present invention generally
relates to a method for manufacturing artificial paving that help improving
global warming, and more particularly to artificial paving that is constituted
by an underground ecological gradation layer and an artificial water-permeable
surface paving layer, which allows rainwater to be efficiently and effectively conducted
into the underground gradation layer to effect storage of rainwater and
reduction of surface flooding and also to form an excellent propagation environment
in earth of the ecological gradation layer for microbial strains and earth protozoa
for biological diversity, thereby helping maintaining soil wet and thus
realizing regulation of temperature and humidity of the surrounding and
improving quality of earth.
(b)
Description of the Prior Art
Generally, conventional
construction of concrete paving is done by pouring a sufficient amount of cement
grout on the ground, leveling the cement grout, and then setting brick tiles
thereon, to thereby form artificial concrete paving.
The conventional paving according
is made of concrete or a combination of concrete and bricks, and concrete is
generally water impermeable.  Even
though the concrete is water permeable one, pores of the concrete are easily
blocked.  Further, the concrete may
generate calcium oxide, which blocks the pores and cannot be removed and
cleaned, so that water permeability may get much lower than the precipitation
rate.  When rainwater is accumulated
on the ground, if it cannot be efficiently discharged into the underside soil,
flood disasters may result easily due to accumulation of a large amount of
precipitation.
In the construction of regular
roads or in the urban areas, paving for ground of construction site is often
made integrally as a water impermeable surface paving layer.  This prevents underside soil from
contacting the atmosphere existing above the paving and replenishment of
underground water with precipitation is blocked off.  This causes damage to the
environment.  Apparently, such a
concrete made paving structure that is water impermeable is not an ideal
one.  In cities, when it rains, the
ground surface lacks of sufficient water permeation and thus most of the
rainwater must be drained through unban sewage systems.  Rainwater may finally be collected in
underground main ducts of the sewage systems to be discharged to seas or
oceans.  This is just a water of the
natural resources of rainwater. 
Further, the rainwater, once conducted to a low altitude area, may
result in flooding disasters.
As the soil has the function of
absorbing water, and can vaporize humidity when contacting the atmosphere in a
dry or hot environment to generate a heat exchange effect with the atmosphere,
and may automatically regulate the humidity so as to avoid the occurrence of heat
island effect.
It is known that without
efficient water permeability, rainwater drainage on ground surface will become
poor.  Thus, it is of importance to
construct a gradation layer that is effective in maintaining water permeability
and preservation of water.  Further,
to improve earth and ecological environment in earth, an environment that is
beneficial to microorganisms and earth protozoa inhabiting in earth.  The microorganisms inhabiting in earth
generally include bacteria (eubacteria and archaea), fungi (filamentous fungi
and yeasts), and algae.  The earth
protozoa include for example amoeba and ciliates.  There are a huge number of ciliates
existing in earth, and they make a great contribution for decomposition of organic
substances.  Insects, including
ants, centipedes, aphids, and mites, help moving soils or digests residual body
portions of organisms and thus providing organic substances.  Earthworms may help formation of soil
pellets, which are good for air ventilation and water draining.  Nematodes help digesting organic matters
or other small creatures.  There are
also vertebrates inhabiting in earth, such as mice, which dig and loosen soil,
and provide excrements for fertilizing earth.  They are also a member of an underground
food chain.
Earth microorganisms play an
important role in keeping quality of earth. The existence of earth organisms is
a vital factor for change and quality of earth environment.
Studies show the importance of microorganisms
to earth is as follows:
(1) decomposition of organic
substances and performance of mineralization by fully decomposing organic
substances to nutrient elements;
(2) fixation of nitrogen (N2)
in atmosphere and conversion into NH3, serving as useful resources
of nitrogen for organisms;
(3) prompting nitrification, which
converts NH4+ into nitrite nitrogen (NO2-),
and then nitrate nitrogen (NO3-) for easy absorption by
plants;
(4) performing de-nitrification, which
converts NO3- into N2O and N2;
(5) prompting dissolution of
coupled or fixed chemical compounds of for example phosphorous, sulfur, iron,
and manganese; and
(6) interaction with other earth
microorganisms, which play an important role of the survival of such other microorganisms
in the environment.
Thus, constructing a good environment
for mass propagation of earth microorganisms is beneficial for improvement of
earth.  Further, formation of a
water preservation gradation layer under an artificial paving layer allows for
mutual contact with a top surface of the water permeable paving layer.  Through mutual contact between soil and
the atmosphere, heat exchange due to humidity and temperature is conducted just
like respiration, helping realizing efficient water drainage and eliminating
potential risk of surface accumulation of water, thus providing a practical
effect.
In view of the above discussed
issue, the present invention aims to provide a method for manufacturing
artificial paving that helps improving global warming and allows for
construction of concrete paving that shows water permeability and environmental
protection feature to allow underside gradation layers to become an ecological
gradation layer to activate organic substances contained in soil and improve
global warming problem.
SUMMARY
OF THE INVENTION
Thus, an objective of the present
invention is to provide a method for manufacturing artificial paving that helps
improving global warming for quickly conducting rainwater falling on ground
surface downward into the underground soil, wherein an artificial paving having
high water permeability is formed to reduce potential risk of flooding on
ground surface, accumulate and store water, and help recycling water resources
of precipitation.
Another objective of the present
invention is to provide a method for manufacturing artificial paving that helps
improving global warming, which converts an underground gradation layer into an
ecological gradation layer, which ensure high water content so that when the
outside temperature gets high, drainpipes of the artificial paving allow water
contained underground to be converted into vapor to be released to the
atmosphere in order to regulate surrounding temperature and humidity and thus
eliminate or alleviate heat island effect.
A further objective of the
present invention is to provide a method for manufacturing artificial paving that
helps improving global warming, which comprises an underground ecological
gradation layer that uses a water permeable surface paving layer to enhance
water absorption thereof and also provide drainpipes capable of water draining
and water storage and drainpipes capable of water draining and water
condensation under the ground so that through a huge number of drainpipes installed
in this way to conduct surface rainwater into the underside gradation layers,
allowing water to penetrate down into the underground water stratum, whereby
the water permeable artificial paving layer enhances the formation of an
excellent environment thereunder for microorganisms and earth protozoa
inhabiting in the surrounding earth, and the gradation layer is formed as an
ecological gradation layer, so that an effect of improving global warming is realized
between earth and atmosphere on ground surface.
To achieve the above objectives,
the present invention provides a water permeable artificial paving structure,
wherein under a surface paving layer, a drain layer, which comprises gravels or
sand, is selectively formed, or alternatively, an interfacing layer is formed
under the drain layer.  Then, an
ecological gradation layer is set and rammed.  As such, the underside ecological gradation
layer provides an effect of supporting and, due to the ecological gradation
layer containing therein hollow bodies, which can be embodied as disaster-prevention
water-storage hollow bodies or earth-improvement hollow bodies or
microorganism-culture hollow bodies or water-keeping hollow bodies as desired,
allows rainwater falling on ground surface to quickly penetrate down into the
underground location, makes the ecological gradation layer effectively preserve
water in high water content, and prompt breeding of microorganisms, whereby
when the atmosphere is of a high temperature, underground humidity can be
released through drainpipes that constitute the water permeable paving to
thereby provide an effective method for improving environment warming.  The water permeable paving may comprise
a framework into which cement grout is poured to form a plurality of drainpipes
that function to drain water, and can alternatively formed as a water
impermeable paving structure with concrete having a rigid paving surface in which
a plurality of drain holes is formed with the use of hole drilling tools for
receiving and retaining therein a plurality of condensation pipes capable of
water draining and air storage and/or water storage pipes capable of water
draining and water storage to be fit therein so as to similarly construct an
artificial paving structure that helps improving global warming.
The foregoing objectives and
summary provide only a brief introduction to the present invention.  To fully appreciate these and other
objects of the present invention as well as the invention itself, all of which
will become apparent to those skilled in the art, the following detailed
description of the invention and the claims should be read in conjunction with
the accompanying drawings. 
Throughout the specification and drawings identical reference numerals
refer to identical or similar parts.
Many other advantages and
features of the present invention will become manifest to those versed in the
art upon making reference to the detailed description and the accompanying
sheets of drawings in which a preferred structural embodiment incorporating the
principles of the present invention is shown by way of illustrative example.
BRIEF
DESCRIPTION OF THE DRAWINGS
FIG. 1 is a schematic
view showing an artificial geological layer constructed in accordance with the
present invention.
FIG. 2 is an exploded view of water draining structure of a water permeable
paving according to the present invention.
FIG. 3 is a perspective view of
the water draining structure of the water permeable paving according to the
present invention in an assembled form.
FIG. 4 is an exploded view of a
drainpipe capable of air storage according to the present invention.
FIG. 5 is an exploded view of a
water reservoir according to the present invention.
FIG. 6 is a schematic view
showing a gradation layer containing hollow bodies mixed therein according to
the present invention.
FIG. 7 is an exploded view
showing various structures of hollow bodies that provide different functions according
to the present invention.
FIG. 8 is a cross-sectional view
showing a draining and condensation pipe contained in water permeable paving
according to the present invention.
FIG. 9 is a cross-sectional view
showing a water draining and water storage pipe contained in water permeable
paving according to the present invention.
FIG. 10 is a cross-sectional view
showing another embodiment according to the present invention in which drain
holes is drilled in concrete paving.
FIG. 11 is an exploded view of a
condensation pipe capable of water draining and air storage according to
another embodiment of the present invention.
FIG. 12 is perspective view of
the pipe FIG. 11 in an
assembled form.
FIG. 13 is a cross-sectional view
showing the pipe of FIG. 11 embedded in concrete paving according to the
present invention.
FIG. 14 is an exploded view of a
water storage pipe capable of water draining and water storage according to
another embodiment of the present invention.
FIG. 15 is a perspective view of
the pipe of FIG. 14 in an
assemble form.
FIG. 16 is a cross-sectional view
showing the pipe of FIG. 14 embedded in concrete paving according the present
invention.
FIG. 17 is a cross-sectional view
showing an alternative form of the water storage pipe of the present invention
shown in FIG. 14.
FIG. 18 is a cross-sectional view
showing an ecological gradation layer according to another embodiment of the
present invention.
DETAILED
DESCRIPTION OF THE PREFERRED EMBODIMENTS
The
following descriptions are exemplary embodiments only, and are not intended to limit the scope,
applicability or configuration of the invention in any way.  Rather, the following description
provides a convenient illustration for implementing exemplary embodiments of
the invention.  Various changes to
the described embodiments may be made in the function and arrangement of the
elements described without departing from the scope of the invention as set
forth in the appended claims.
Referring to FIG. 1, the present invention provides a method for
manufacturing artificial paving that help improving global warming, which comprises,
after leveling of ground surface, laying an ecological gradation layer 10.  The ecological gradation layer 10 may be
on-site earth and/or gradation material commonly used for road construction,
including aggregates, soils, gravels, a mixture of water-permeable concrete,
and additionally and of importance, comprising unique hollow bodies 11.  All the constituent components are mixed
and laid on the bottom, and then, after pressurization for ramming, an
interfacing layer 20 is selectively and additionally set thereon.  The interfacing layer 20 may comprise a
piece of non-woven fabric or a net, or a layer of sand.  Atop the interfacing layer 20, a drain
layer 30 is set.  The drain layer is
composed of gravels (or crushed stones) or sand or a combination of both.  Finally, a water permeable paving layer
40 is set on the drain layer 30. 
With such an arrangement, rainwater that drops to the ground surface can
be allowed to permeate all the ground layers artificially set above to
penetrate to an underground water stratum 60 under an underground soil stratum
50, whereby rainwater can be conducted to the underground water stratum 60
deeply under the earth to serve as supplemental underground resources and also,
the gradation layers can be modified to serve as an ecological gradation layer
10, which when used in combination with the water permeable paving layer 40,
provides versatile functions and also form an excellent survival environment
for soil microorganisms and earth protozoa.
The interfacing layer 20 and the drain layer 30 can be used
individually or in combination. 
Alternatively, the water permeable paving layer 40 is directly set atop
the ecological gradation layer 10, and the interfacing layer 20 and the drain
layer 30 are selectively added according to actual water drainage of the
construction site to realize similar effects of water draining and protection
against global warming.
Referring to FIGS. 2 and 3, the water permeable paving layer 40 (as
shown in FIG. 1) comprises a framework composed of a plurality of drainpipes 41
for draining water, an upper connection frame 42, a lower connection frame 43,
a sealing lid moldboard 44, condensation pipes 45 having a function of air
storage, and a water reservoir 46. 
The condensation pipe 45 provides a function of air storage and
preservation, whereby in case of large area flooding, a survival space that
provides air to underground microorganisms is kept.  Each of the drainpipes 41 has a top end
portion forming a diameter-reduced section 411 and a bottom end portion forming
a retention ring 412 and a retention wedge 413 (see FIG. 4).  The diameter-reduced section 411 on the
top end of the drainpipe 41 can be directly fit into a barrel 421 formed on the
upper connection frame 42, while the lower end of the drainpipe can be fit into
a collar 431 formed on the lower connection frame 43 to allow the collar 431
received and retained between the retention ring 412 and retention wedge
413.  The drainpipes 41 are hollow member.  During pouring of cement slurry or grout,
to securely retain the sealing lid moldboard 44 in position and prevent cement mixture undesirably
filling into and thus blocking the drainpipes, a plurality of sealing lids 441
is formed on the undersurface of the moldboard 44 so that during the pouring of
cement mixture, the sealing lids 441 that are fit into top openings of the
drainpipes 41 prevent the cement mixture from filling into and thus blocking
the pipes (see FIG. 3).  The
moldboard and the lids can then be removed after the pour cement mixture cures
into solid to form a concrete-constructed water permeable paving layer.
Referring to FIG. 4, the condensation pipe 45 that has air storage
function is constructed in such a way that, as shown in the embodiment
illustrated in the drawings, an outer tube 414 is fit over and coupled to a drainpipe
41.  The outer tube 414 has a top
forming a hole 4141.  The outer tube
414 forms a circumferential gap 4142 therein, so that the combination of a
drainpipe 41 and an outer tube 414 forms a drainpipe structure that is capable
of water draining, air ventilation, and water condensation and collection.  In an alternative embodiment, the
circumferential gap 4142 can be formed as being delimited by an inside surface
of an outer tube and an outside surface of a drainpipe when the outer tube and the
drainpipes are combined to each other.
Referring to FIG. 5, the water reservoir 46 is coupled to an end,
particularly the bottom end, of a drainpipe 41.  Structurally, the water reservoir 46
comprises a top cover 461 and a base box
462.  The top cover
461 has a top forming a hole 4611, and a rim 4612 is formed along a
circumference of the top cover.  The
top cover 461 has an outside diameter greater than an outside diameter of the
base box 462
and this helps preventing cement grout or slurry from getting into the base box
during grouting or preventing sand of the drain layer from entering the base
box.  The base box 462 comprises a central tube 4621 and
a circumferential gap 4622 around the central tube.  The base box has a top forming spaced
spot projections 4623.  The central
tube 4621 has an inside surface on which raised ribs 4624 are formed to help
retaining the base box 462 when the base box is fit to the lower end of the
drainpipe, so that the drainpipe 41 and the water reservoir 46 are combined
together to form a structure of drainpipe that is capable of water draining,
air ventilation, and water storage/preservation.  The spot projections 4623 function to
provide a gap for water inlet passage between the top cover 461 and the base box 462 when they
are fit to each other.  In an
alternative embodiment, the central tube 4621 is formed so that a top end of
the central tube is located higher than the top of the outer circumferential
wall of the base box 462, so that when the top cover 461 and the base box 462
are fit to each other, a gap is formed to serve as water inlet passage.
Referring to FIGS. 6 and 7, the ecological gradation layer 10 is
generally formed of hollow bodies 11, in combination of on-site earth, including
aggregates, soils, gravels, or a mixture of water permeable concrete, and
additionally and selectively comprising other gradation materials that are of
no harm to the environment, such as earthenware particles.  The hollow bodies 11 that show unique
functions are preferably in the form of sphere, for a spherical structure is
more resistant to compression stress from any direction and provide voids for
the gradation layer.  However, other
shapes that can be readily manufactured may also be adopted.  Preferably, the hollow body 11 is
composed of two halves, each constituting a shell member 111, or alternatively
an integrally formed unitary hollow body made with blow molding or perfusion
molding.  Preferably, the hollow
body is made of plastics, but they can be made of other traditionally used
materials.  The shell members of the
hollow body are made of a wall of great thickness and each shell member 111
forms a plurality of through apertures 112.  The hollow bodies 11 used in the present
invention can be made as engineering hollow body for different uses, such as a disaster-prevention
water-storage hollow body, or an earth improvement hollow body, or a
microorganism-culture hollow body or a water-keeping hollow body, or any type
of hollow body that meet the need for on-site use.
The disaster-prevention water-storage hollow body, as shown in the
embodiment illustrated in the drawings, comprises two shell members 111, which
are combined with each other to form a hollow body that carries through
apertures 112 formed therein.  Thus,
when the hollow bodies are mixed in the gradation layer, in case of extremely
high precipitation, when the water permeable paving layer 40 needs to
efficiently conduct away the rainwater, which leads to immediate saturation of
water content in the gradation layer 10, water can be guided by the apertures
112 of the shells into the interior space of the hollow body, so that the
chance for surface flooding in the related area can be prevented.  With sufficient time lapse, penetration
gradually conducts the water into the underground water stratum, and then the
water received in the disaster-prevention water-storage hollow bodies is
allowed to slowly release.  This
ensures an effect of efficient water drain for the ground surface.
The earth-improvement hollow body is constructed with two shell
members 111, which are combined with each other to form an interior space in which
a carbon-contained substance 113, such as active carbon or binchotan, or an
earth-improvement agent desired for improvement of local earth, is filled, whereby
when the earth-improvement hollow bodies are mixed in the gradation layer, the
carbon-contained substance 113 functions to absorb and activate acidifying
substance or harmful substance entraining water that penetrates downward and
passes through the earth-improvement hollow bodies or that contained in the
surrounding soil, so as to realize improvement of earth quality.
The microorganism-culture hollow body is composed of two shell
members 111, which are combined to form an interior in which selected microbial
strains 114 are deposited to serve as an excellent culture site for a large
quantity of microorganisms.  With
the microorganism-culture hollow bodies mixed in the gradation layer,
microorganisms can be effectively cultured and an improved environment for propagation
is provided.  The microorganisms so
cultured can help decomposing organic substance contained in the soil,
prompting nitrification, performing de-nitrification, and improving ecological
environment of earth.
The water-keeping hollow body is composed of two shell members 111,
which are combined to form an interior in which a water absorption substance
115 is filled, such as sponge or other water absorptive material that are not
decomposable by microorganisms, so that when the water-keeping hollow bodies
are mixed in the gradation layer, the water absorption substance 115 helps to
absorb water when water flows through the hollow bodies so as to keep water
from flowing away from the earth that ensures sufficient supply for survival
and propagation of microorganisms and also improving water preservation and
increasing water content in dry area. 
In case of high temperature on the ground surface, the high content of
water in the earth allows water to be converted into vapor that is then
released to the environment for heat exchange with the environment so that the
heat island effect can be eliminated or alleviated.
Referring to FIG. 8, the water permeable paving layer 40 comprises,
in structure thereof, a plurality of condensation pipes 45 having air storage
function, and an upper connection frame 42 and a lower connection frame 43
respectively attached to top and bottom ends of the condensation pipes.  Each condensation pipe 45 forms therein
a circumferential gap 4142.  In a
cold zone, when the surrounding temperature is low, vapor or humid from the
underground drain layer 30 of which the soil has a temperature higher than the
surrounding temperature above the ground surface may be converted into
condensed water 4143 on the wall surfaces of the circumferential gap 4142, so
that water can be extracted from the atmosphere to realize natural
replenishment of soil water.  In
case of precipitation, rainwater that falls on the surface paving layer is
guided by water conduction grooves 401 into the barrel 421, flowing downward
into the drainpipe 41, and entering the drain layer 30, so that water can be
effectively collected, avoiding the water directly flowing along sewage system
to the oceans, which represents a waste of water resources.  Further, in case of extremely heavy precipitation
that leads to flooding, the condensation pipe 45 having water storage function,
due to a closed top end of the circumferential gap 4142, forms an enclosed air
storage, whereby an emergency shelter is provided for preservation and supply
of air to microorganisms or earth protozoa, which, in a flooded area, can
survive from drowning by taking the air preserved in the shelter  The survival of microorganisms or
protozoa can ensure quick recovery in a short period and also offer helps to
organic substance contained in the soil.
Referring to FIGS. 3, 5, and 9, the water permeable paving layer 40
comprises, structurally, a plurality of water reservoirs 46 which function to
store and accumulate water therein, and drainpipes 41 fixed between an upper
connection frame 42 and a lower connection frame 43 for draining water.  At least one or each of the drainpipes
41 has a bottom end to which each water reservoir 46 is attached (see FIG.
3).  The water reservoir 46 is
composed of a top cover 461 and a base box 462.  The base box has a central tube 4621
having a top end that is located higher position or spaced spot projections
4623 are provided (see FIGS. 5 and 9), so as to form a water inlet passage.  When the drain layer 30 get saturated
with water, water that penetrates downward is guided through the air inlet
passage into a circumferential gap 4622 formed in the water reservoir to be
accumulated and stored therein. 
Such stored water ensures water supply for microorganisms or protozoa
inhabiting in the surrounding earth in case of draught for the survival of
these microorganisms and protozoa. 
This also effects regulation of the underground water temperature and
humidity to maintain living of plants and also to prevent desertification.
Referring to FIGS. 10, 11, and 14, another embodiment of the present
invention is illustrated, wherein the water permeable paving layer is
constructed in such a way that after leveling of ground and setting of an
ecological gradation layer 10, a paving layer 40a is formed on the ecological gradation layer
10.  Preferably, the paving layer 40a comprises reinforcement bars 402 and the
reinforcement bars 402 are arranged in a tessellate form or added with other
reinforcement materials.  Cement
grout is then poured over the reinforcement and a rigid concrete paving is
formed after the grout cures. 
Alternatively, the paving layer 40a is not formed of concrete and reinforcement, and
instead the paving layer is made of asphalt.  Hole drilling tools 47 are then used to
form a plurality of drain holes 403 in
the rigid paving surface. 
Condensation pipes 45a
capable of water draining and air storage (see FIG. 11) or water storage pipes 46a capable of water draining and water
storage (see FIG. 14), which are made in the form of individual pipes, are used
in combination or individually according to the environment of the construction
site.  At least one of these two
pipes are selected and fit into the drain holes 403 that are formed in advance.  In this way, an artificial paving that
helps improving global warming is similarly realized.
Referring to FIGS. 11, 12, and 13, the condensation pipe 45a capable of water draining and air storage
in the form of individual pipe shown in FIG. 10 comprises, structurally, an
inner tube 41a and an
outer tube 414a.  The inner tube 41a is a hollow tube having a top forming a
diameter-expanded circumferential flange 415.  The outer tube 414a has a top forming a hole 4141.  The outer tube 414a has an inside wall forming a sloped inside
surface 4144.  The outer tube 414a has an outside wall forming raised
structures 4145.  With the
condensation pipes 45a properly
fit into the drain holes 403 formed in the paving layer 40a (as shown in FIG. 13), the paving layer 40a forms a water permeable paving
layer.  When the paving layer 40a that allows for water permeation is
flooded, the ecological gradation layer 10 is completely saturated with water
and the excessive water is guided into the circumferential gap 4142 (see FIG.
13).  However, an amount of air is
preserved in the top portion of the circumferential gap so that a space for
breathing and survival is provided for microorganisms and protozoa inhabiting
in the surrounding earth in case of flooding.  Also, the wall surfaces of the
circumferential gap between the outer tube 414a and the inner tube 41a may constitute a structure for water condensation.
Referring to FIGS. 14, 15, and 16, the water storage pipe 46a capable of water draining and water
storage in the form of individual pipe shown in FIG. 10 comprises,
structurally, a water drain tube 41b to which a water reservoir 46 is
attached.  The water reservoir 46 is
composed of a top cover 461 and a base box 462.  The top cover 461 has a top forming a
hole 4611, and a rim 4612 is formed along a circumference of the top
cover.  The top cover 461 has an
outside diameter greater than an outside diameter of the base box 462.  The base box 462 comprises a central tube 4621 and
a circumferential gap 4622 around the central tube.  Preferably, the base box has a top
forming spaced spot projections 4623. 
The central tube 4621 has an inside surface on which raised ribs 4624
are formed to help retaining the base box with interference fitting realized by
the raised ribs 4624 when the base box 462 is fit to an end of water drain tube
41b, so that the water drain tube 41b and the water reservoir 46 can be
combined together to form a water storage pipe 46a that is capable of both water draining and water
storage.  In the embodiment
illustrated, the top of the base box
462 is provided with the spot projections 4623 in order to form a water inlet
passage.  In an alternative
embodiment, the central tube 4621 is arranged to have a top A thereof located higher than a top B of an outer wall of the base box 462 (see FIG.
16), so that a water inlet passage can be formed between the top cover 461 and
the base box 462
when they are fit to each other.
As illustrated in the embodiment of FIG. 16, when the water storage
pipe 46a is fit in
a drain hole 403 that is previously formed in the paving layer 40a (see FIG. 16), the paving layer 40a is constructed as a water permeable
paving layer.  Rainwater falling on
the paving layer 40a that
allows for water permeation is conducted to the underside ecological gradation
layer 10, and once the underside ecological gradation layer 10 get saturated
with water, excessive water is guided through the water inlet passage into the
circumferential gap 4622 to be accumulated and stored therein.  The water so stored can serve as a water
supply for microorganisms and protozoa inhabiting in the surrounding earth in
case of draught.  This also effects
regulation of the underground water temperature and humidity to maintain living
of plants and also to prevent desertification.
If desired, an interfacing layer or a drain layer, or both, can be
selectively added between the ecological gradation layer 10 and the water
permeable paving layer 40a
according to the local earth quality.
Referring to FIG. 17, an alternative form of water storage pipe
according to the present invention is shown, which is made in the form of an
individual water storage pipe 46b capable of water draining and water
storage.  The water storage pipe 46b
comprises, structurally, a water drain tube 41c and a base box 462 attached thereto.  The water drain tube 41c has a top having an outer circumference
along which a rim 416 is formed in such a way that the rim 416 has an outside
diameter greater than an outside diameter of the base box 462.  The base box 462 comprises a central tube 4621 and
a circumferential gap 4622. 
Preferably, the base box has a top forming spaced spot projections
4623.  The central tube 4621 has an
inside surface on which raised ribs 4624 are formed to help retaining the base
box with interference fitting realized by the raised ribs 4624 when the base
box 462 is fit to an end of water drain tube 41c, so that a water storage pipe 46b that is capable
of both water draining and water storage is provided.
In the embodiment illustrated, the top of the base box 462 is provided
with the spot projections 4623 in
order to form a water inlet passage. 
In an alternative embodiment, the central tube 4621 is arranged to have
a top A thereof located higher than
a top B of an outer wall of the base
box 462,
so that a water inlet passage can be formed between the top cover 461 and the
base box 462
when they are fit to each other.
Referring to FIG. 18, in the
embodiment illustrated, the ecological gradation layer 10 can be formed of
on-site earth or gradation material traditionally used for road construction, which
may comprise aggregates, soils, gravels, and a mixture of concrete, and may
additionally comprise other gradation materials that are of no harm to the
environment.  The gradation layer
comprises hollow bodies 11, which unique functions.  The hollow bodies 11 can be arranged in
such a way that a plurality of hollow bodies are received and held in a net bag
to form a bag-contained hollow body unit 12.  The bag-contained hollow body units 12
can be directly laid as a gradation layer, or alternatively, the hollow body
units 12 can be mixed with earth to form a gradation layer.  These also provide the same effects as
discussed above.
It will be understood that each
of the elements described above, or two or more together may also find a useful
application in other types of methods differing from the type described above.
While certain novel features of
this invention have been shown and described and are pointed out in the annexed
claim, it is not intended to be limited to the details above, since it will be
understood that various omissions, modifications, substitutions and changes in
the forms and details of the device illustrated and in its operation can be
made by those skilled in the art without departing in any way from the spirit
of the present invention.
I CLAIM:
1.    A method for manufacturing artificial paving that helps improving
global warming, mainly constituted by an ecological gradation layer and a water
permeable paving layer, characterized in that:
after ground leveling, an ecological gradation layer is laid first,
wherein the ecological gradation layer is formed of gradation materials for
road construction or on-site earth, hollow bodies being mixed in the earth, the
hollow bodies forming through apertures, the hollow bodies and the gradation
earth being mixed and laid and then subjected to pressurization for ramming; and
a water permeable
paving layer set on the ecological gradation;
whereby rainwater falling on ground is allowed to effectively
permeate the artificially set layers to reach an underground water stratum that
is located under an underground soil stratum, so that rainwater is conducted to
deep location of ground to supplement the underground water stratum, and the
ecological gradation layer provides an excellent survival environment for
microorganisms and protozoa inhabiting in earth.
2.    The
method according to claim 1, wherein an interfacing
layer is additionally set above the ecological gradation layer and below the
water permeable paving layer.
3.    The method
according to claim 1, wherein a drain layer is additionally set above the
ecological gradation layer and below the water permeable paving layer.
4.    The method
according to claim 2, wherein a drain layer is set above the interfacing layer.
5.    The method
according to claim 1, wherein the hollow bodies are constructed as
disaster-prevention water-storage hollow bodies, which comprises hollow shells
forming through apertures therein, the hollow bodies being mixed in the gradation
earth.
6.    The method
according to claim 1, wherein the hollow bodies are constructed as
earth-improvement hollow bodies, which have hollow interior spaces in which a
carbon-contained substance or an earth-improvement agent is deposited.
7.    The method
according to claim 1, wherein the hollow bodies are constructed as
microorganism-culture hollow bodies, which have hollow interior spaces in which
microbial strains are set.
8.    The method
according to claim 1, wherein the hollow bodies are constructed as water-keeping
hollow bodies, which have hollow interior spaces in which a water absorption
substance, including sponge or a water absorptive material that is not
decomposable by microorganisms, is deposited.
9.    The method
according to claim 1, wherein each of the hollow bodies is composed of two
halved shell members that mate each other, or is integrally formed as a unitary
body made with blow molding or perfusion molding.
10.  The method according
to claim 2, wherein the interfacing layer comprises one of non-woven fabric,
net, a layer of sand.
11.  The method according
to claim 3 or claim 4, wherein the drain layer is composed of gravels, or sand,
or a combination of both, or a sand-based gradation material.
12.  The method according
to claim 1, wherein the water permeable paving layer comprises a plurality of drainpipes,
an upper connection frame, a lower connection frame, and condensation pipes
having a function of air storage, each of the condensation pipe comprising an
outer tube mounted to the drainpipe, the outer tube having a top forming a
hole, the outer tube forming a circumferential gap therein, so that a
combination of the drainpipe and the outer tube forms a drainpipe structure
that is capable of water draining and collection of condensed water.
13.  The method according
to claim 1, wherein the water permeable paving layer comprises a plurality of drainpipes,
an upper connection frame, a lower connection frame, and water reservoirs, each
of the water reservoir being attached to an end of one drainpipe, each of the
water reservoirs comprising a top cover and a base box, the top cover having a
top forming a hole, the top cover having an outer circumference along which a
rim is formed, the top cover having an outside diameter greater than an outside
diameter of the base box, the base box comprising a central tube and a
circumferential gap, the central tube having a top located at a high position,
the base box having a top forming spaced spot projections, which form a water
inlet passage when the top cover and the base box are fit to each other, the
central tube having an inside surface forming raised ribs, whereby the
drainpipe and the water reservoir are combined together to form a drainpipe
structure capable of water draining and water storage.
14.  A method for
manufacturing artificial paving that helps improving global warming, mainly
constituted by an ecological gradation layer and a water permeable paving
layer, characterized in that:
after ground leveling, an ecological gradation layer is laid first,
wherein the ecological gradation layer is formed of gradation materials for
road construction or on-site earth, hollow bodies being mixed in the earth, the
hollow bodies forming through apertures, the hollow bodies and the gradation
earth being mixed and laid and then subjected to pressurization for ramming;
and
a paving layer set on the ecological gradation layer, the paving
layer forming a plurality of drain holes through use of hole drilling tools;
condensation pipes
having functions of water draining and air storage being fit in the drain
holes, so as to make the paving layer a water-draining paving layer;
whereby rainwater falling on ground is allowed to effectively
permeate the artificially set layers to reach an underground water stratum that
is located under an underground soil stratum, so that rainwater is conducted to
deep location of ground to supplement the underground water stratum, and the
ecological gradation layer provides an excellent survival environment for
microorganisms and protozoa inhabiting in earth.
15.  The method according
to claim 14, wherein the paving layer is made cured concrete grout to form
rigid paving.
16.  The method according
to claim 14, wherein the paving layer comprises asphalt paving.
17.  The method according
to claim 14, wherein the condensation pipes are replaced by water storage pipes
capable of water draining and water storage.
18.  The method according
to claim 14, wherein the drain holes receive condensation pipes capable of
water draining and air storage and water storage pipes capable of water
draining and water storage therein.
19.  The method according
to claim 14, wherein each of the condensation pipes capable of water draining
and air storage comprises an inner tube and an outer tube, the inner tube being
a hollow tube having a top forming a diameter-expanded circumferential flange,
the outer tube having a top forming a hole, the outer tube having an inside
wall forming a sloped inside surface, the outer tube having an outside wall
forming raised structures.
20.  The method according
to claim 17, wherein each of the water storage pipes capable of water draining
and water storage comprises a water drain tube to which a water reservoir is
attached, the water reservoir comprising a top cover and a base box, the top
cover having a top forming a hole, the top cover having an outer circumference
along which a rim is formed, the top cover having an outside diameter greater
than an outside diameter of the base box, the base box comprising a central
tube and a circumferential gap, the top cover and the base box forming a water
inlet passage therebetween when combined.
21.  The method according
to claim 17, wherein each of the water storage pipes capable of water draining
and water storage comprises a water drain tube and a base box attached thereto,
the water drain tube having a top having an outer circumference along which a
rim is formed so that the rim has an outside diameter greater than an outside
diameter of the base box, the base box comprising a central tube and a
circumferential gap, a water inlet passage being formed between a top end of
the base box and the water drain tube.
22.  The method according
to claim 14, wherein an interfacing layer is set above the ecological gradation
layer and below the water permeable paving layer.
23.  The method according
to claim 14, wherein a drain layer is set above the ecological gradation layer
and below the water permeable paving layer.
24.  The method according
to claim 22, wherein a drain layer is set above the interfacing layer.
ABSTRACT
OF THE DISCLOSURE
Provided is a method for
manufacturing artificial paving that helps improving global warming.  A water permeable paving layer is
provided under which a drain layer, which includes gravels or sand, is
selectively formed, and an interfacing layer is formed under the drain
layer.  An ecological gradation
layer is set and rammed.  The
underside ecological gradation layer provides an effect of supporting and, due
to the ecological gradation layer containing therein hollow bodies, which can be
embodied as disaster-prevention water-storage hollow bodies or
earth-improvement hollow bodies or microorganism-culture hollow bodies or
water-keeping hollow bodies as desired, allows rainwater falling on ground
surface to quickly penetrate down into the underground location, makes the
ecological gradation layer effectively preserve water in high water content,
and prompt breeding of microorganisms, whereby when the atmosphere is of a high
temperature, underground humidity can be released through drainpipes that
constitute the water permeable paving.
【図１】
2012067589.tif 000021
【図２】
2012067589.tif 000022
【図３】
2012067589.tif 000023
【図４】
2012067589.tif 000024
【図５】
2012067589.tif 000025
【図６】
2012067589.tif 000026
【図７】
2012067589.tif 000027
【図８】
2012067589.tif 000028
【図９】
2012067589.tif 000029
【図１０】
2012067589.tif 000030
【図１１】
2012067589.tif 000031
【図１２】
2012067589.tif 000032
【図１３】
2012067589.tif 000033
【図１４】
2012067589.tif 000034
【図１５】
2012067589.tif 000035
【図１６】
2012067589.tif 000036
【図１７】
2012067589.tif 000037
【図１８】
2012067589.tif 000038